(57)【要約】【目的】床板材の裏面に根太部材を所定間隔で設けた床パネルに床暖房構造を組み入れたものとし、かかる構造を得る上での作業の容易化や効率化、更には修理時や廃棄時の解体・分別の容易化が図れる床暖房パネル構造体を提供する。【構成】床下地板２の裏面に設けられた根太部材３…間に蓄熱ユニット６が配置されている。そして、蓄熱ユニット６を覆ってウレタン７が設けられており、前記ウレタン７及び根太部材３を覆うようにスチレンフォーム８が設けられている。そして、スチレンフォーム８の凹部８ａには第１の金具１０が設けられており、ウレタン７とスチレンフォーム８との間には第２の金具１１が設けられており、床下地板２の縁には第３の金具１２が設けられており、蓄熱ユニット６の側面には第４の金具１４が設けられている。【選択図】　　　　　　　　図１
2004027785.tif 000002
【特許請求の範囲】
【請求項１】
床板材の裏面に根太部材が所定間隔で設けられ、少なくとも熱供与体を有して成る暖房ユニットが前記根太部材間に配置され、前記暖房ユニットを覆って前記根太部材の下面と略面一となるように第１の断熱材が設けられており、前記第１の断熱材及び前記根太部材の下面を覆うように第２の断熱材が設けられた床暖房パネル構造体であって、前記第２の断熱材の裏面には楔部を有する係止具が前記楔部を第２の断熱材に差し込んで設けられ、前記係止具に形成された貫通穴を介してビス又は釘が挿入され、このビス又は釘が前記根太部材に装着されていることを特徴とする床暖房パネル構造体。
【請求項２】
請求項１に記載の床暖房パネル構造体において、前記第２の断熱材には前記根太部材に対応した位置に凹部が形成されており、この凹部に前記係止具が装着されたことを特徴とする床暖房パネル構造体。
【請求項３】
床板材の裏面に根太部材が所定間隔で設けられ、少なくとも熱供与体を有して成る暖房ユニットが前記根太部材間に配置され、前記暖房ユニットを覆って前記根太部材の下面と略面一となるように第１の断熱材が設けられており、前記第１の断熱材及び前記根太部材の下面を覆うように第２の断熱材が設けられた床暖房パネル構造体であって、第１の断熱材と前記第２の断熱材との対面箇所には板状体であってその表裏両面側に楔部を有する係止具が前記楔部を前記第１の断熱材と前記第２の断熱材に差し込んで設けられていることを特徴とする床暖房パネル構造体。
【請求項４】
請求項３に記載の床暖房パネル構造体において、前記係止具は略四角形状を成し、その対角の二隅が表側に屈曲されて表側の楔部を成し、他の対角の二隅が裏側に屈曲されて裏側の楔部を成していることを特徴とする床暖房パネル構造体。
【請求項５】
床板材の裏面に根太部材が所定間隔で設けられ、少なくとも熱供与体を有して成る暖房ユニットが前記根太部材間に配置され、前記暖房ユニットを覆って前記根太部材の下面と略面一となるように第１の断熱材が設けられており、前記第１の断熱材及び前記根太部材の下面を覆うように第２の断熱材が設けられた床暖房パネル構造体であって、楔部を有する係止具が前記根太部材に代わって暖房ユニットの側面側を支持するものとして前記床板材の縁部に固定されており、前記楔部は第１の断熱材に差し込んであることを特徴とする床暖房パネル構造体。
【請求項６】
請求項５に記載の床暖房パネル構造体において、前記係止具は第１の楔部を第１の断熱材の下面に差し込み、第２の楔部を第２の断熱材の側面に差し込んであることを特徴とする床暖房パネル構造体。
【請求項７】
床板材の裏面に根太部材が所定間隔で設けられ、少なくとも熱供与体を有して成る暖房ユニットが前記根太部材間に配置され、前記暖房ユニットを覆って前記根太部材の下面と略面一となるように第１の断熱材が設けられており、前記第１の断熱材及び前記根太部材の下面を覆うように第２の断熱材が設けられた床暖房パネル構造体であって、断面コ字形状を有し且つ楔部を有する係止具が、断面コ字形状における一方の水平部を第１の断熱材と暖房ユニットとの間に位置させ、他方の水平部を暖房ユニットと床板材との間に位置させて暖房ユニット側面近傍位置に設けられており、前記楔部を第１の断熱材に差し込んであることを特徴とする床暖房パネル構造体。
【請求項８】
請求項７に記載の床暖房パネル構造体において、前記係止具の楔部は前記一方の水平部の先端側に形成されていることを特徴とする床暖房パネル構造体。
【請求項９】
請求項７又は請求項８に記載の床暖房パネル構造体において、前記係止具は断面コ字形状における垂直部を第１の断熱材の縁面と略面一にして設けられていることを特徴とする床暖房パネル構造体。
【請求項１０】
請求項１乃至請求項９のいずれかに記載の床暖房パネル構造体において、前記係止具は金属板の折り曲げ又は折り曲げと剪断にて加工されて成るものであることを特徴とする床暖房パネル構造体。
【発明の詳細な説明】
【０００１】
【産業上の利用分野】
この発明は、床暖房パネル構造体に関する。
【０００２】
【従来の技術】
従来より、工場生産を行うことによって現場での床構築作業の負担を軽減することができるものとして、所定寸法の床下地板の裏面に根太部材を所定間隔で設けた床パネルが知られている。この床パネルは、建屋の床骨組を成す大引き上に当該大引きに対して前記根太部材が直交するようにして配置され、この配置後に床仕上げ板等が設けられることになる。また、従来より、面状ヒーターなどの熱供与体、更には蓄熱材や断熱材を組み込んだ床暖房構造が提案されいる。
【０００３】
【発明が解決しようとする課題】
しかしながら、上記床暖房構造を上述した床パネルに組み込んだ構造とし且つかかる構造を得る上での作業の容易化や効率化等を実現した提案はなされていない。
【０００４】
この発明は、床板材の裏面に根太部材を所定間隔で設けた床パネルに床暖房構造を組み入れたものとし、かかる構造を得る上での作業の容易化や効率化、更には修理時や廃棄時の解体・分別の容易化が図れる床暖房パネル構造体を提供することを目的とする。
【０００５】
【課題を解決するための手段】
この発明にかかる床暖房パネル構造体は、上記の課題を解決するために、床板材の裏面に根太部材が所定間隔で設けられ、少なくとも熱供与体を有して成る暖房ユニットが前記根太部材間に配置され、前記暖房ユニットを覆って前記根太部材の下面と略面一となるように第１の断熱材が設けられており、前記第１の断熱材及び前記根太部材の下面を覆うように第２の断熱材が設けられた床暖房パネル構造体であって、前記第２の断熱材の裏面には楔部を有する係止具が前記楔部を第２の断熱材に差し込んで設けられ、前記係止具に形成された貫通穴を介してビス又は釘が挿入され、このビス又は釘が前記根太部材に装着されていることを特徴とする。
【０００６】
上記の構成であれば、前記係止具に形成された貫通穴を介して挿入されたビス又は釘が前記根太部材に装着されたことで、第２の断熱材にビス等による局所的な大きな力が加わらずに第２の断熱材の固定が行われることになる。接着剤による固定ではないため、例えば修理時などでの解体や再組み立てが容易である。前記係止具は単なる平板部材ではなく、楔部を有してこれが第２の断熱材に差し込んでいることにより、第２の断熱材の位置ずれなどが回避される。
【０００７】
前記第２の断熱材には前記根太部材に対応した位置に凹部が形成されており、この凹部に前記係止具が装着されていてもよい。前記凹部が存在することにより、ビスの頭部が第２の断熱材の面から出てしまうこともなく、見栄えもよい。また、前記凹部が係止具装着位置の目印にもなり、作業性が向上する。
【０００８】
また、この発明の床暖房パネル構造体は、床板材の裏面に根太部材が所定間隔で設けられ、少なくとも熱供与体を有して成る暖房ユニットが前記根太部材間に配置され、前記暖房ユニットを覆って前記根太部材の下面と略面一となるように第１の断熱材が設けられており、前記第１の断熱材及び前記根太部材の下面を覆うように第２の断熱材が設けられた床暖房パネル構造体であって、第１の断熱材と前記第２の断熱材との対面箇所には板状体であってその表裏両面側に楔部を有する係止具が前記楔部を前記第１の断熱材と前記第２の断熱材に差し込んで設けられていることを特徴とする。
【０００９】
上記の構成であれば、前記係止具がその表裏両面側の楔部を前記第１の断熱材と前記第２の断熱材に差し込んで設けられているため、第１の断熱材と前記第２の断熱材との相対的な位置ずれが防止される。接着剤による位置ずれ防止ではないため、例えば修理時などでの解体や再組み立てが容易である。
【００１０】
前記係止具は略四角形状を成し、その対角の二隅が表側に屈曲されて表側の楔部を成し、他の対角の二隅が裏側に屈曲されて裏側の楔部を成すのがよい。
【００１１】
また、この発明の床暖房パネル構造体は、床板材の裏面に根太部材が所定間隔で設けられ、少なくとも熱供与体を有して成る暖房ユニットが前記根太部材間に配置され、前記暖房ユニットを覆って前記根太部材の下面と略面一となるように第１の断熱材が設けられており、前記第１の断熱材及び前記根太部材の下面を覆うように第２の断熱材が設けられた床暖房パネル構造体であって、楔部を有する係止具が前記根太部材に代わって暖房ユニットの側面側を支持するものとして前記床板材の縁部に固定されており、前記楔部は第１の断熱材に差し込んであることを特徴とする。
【００１２】
上記の構成であれば、隣に位置することになる他の床暖房パネル構造体における根太部材との係合領域が前記係止具が固定されている箇所において形成されると共に、前記係止具にて暖房ユニットの側面支持が行え、更には、前記第１の楔部による第１の断熱材の保持及び前記第２の楔部による第２の断熱材の保持が行われることになる。接着剤による断熱材保持ではないため、例えば修理時などでの解体や再組み立てが容易である
【００１３】
前記係止具は第１の楔部を第１の断熱材の下面に差し込み、第２の楔部を第２の断熱材の側面に差し込んであるのがよい。
【００１４】
また、この発明の床暖房パネル構造体は、床板材の裏面に根太部材が所定間隔で設けられ、少なくとも熱供与体を有して成る暖房ユニットが前記根太部材間に配置され、前記暖房ユニットに被せられて前記根太部材の下面と略面一となるように第１の断熱材が設けられており、前記第１の断熱材及び前記根太部材の下面を覆うように第２の断熱材が設けられた床暖房パネル構造体であって、断面コ字形状を有し且つ楔部を有する係止具が、断面コ字形状における一方の水平部を第１の断熱材と暖房ユニットとの間に位置させ、他方の水平部を暖房ユニットと床板材との間に位置させて暖房ユニット側面近傍位置に設けられており、前記楔部を第１の断熱材に差し込んであることを特徴とする。
【００１５】
上記の構成であれば、前記係止具によって第１の断熱材上で暖房ユニットはその側面側が支持されることになり、暖房ユニットと第１の断熱材とのユニット化によって組み立て性が向上する。また、暖房ユニットの配置空間の高さを前記係止具が規定することにもなり、暖房ユニットへの不所望な力の加わりや床板材と暖房ユニットとの隙間発生を極力回避できることになる。
【００１６】
前記係止具の楔部は前記一方の水平部の先端側に形成されているのがよい。
【００１７】
前記係止具は断面コ字形状における垂直部を第１の断熱材の縁面と略面一にして設けられているのがよい。これによれば、第１の断熱材を箱型に成形する場合に比べて暖房ユニットの収容スペースを大きくすることができ、大きな暖房ユニットを用いることができる。
【００１８】
これら床暖房パネル構造体において用いる係止具は、金属板の折り曲げ又は折り曲げと剪断にて加工されて成るものもよい。
【００１９】
【発明の実施の形態】
以下、この発明の実施形態の床暖房パネル構造体を図１乃至図１０に基づいて説明する。
【００２０】
図１はこの実施形態の床暖房パネル構造体１を示した断面図であり、同図（ａ）は全体を示し、同図（ｂ）は一部を拡大して示している。床下地板２の裏面に根太部材３…が所定間隔で設けられ、面状ヒーター４とこれを両側から挟み込むように設けられた潜熱蓄熱材５・５とを有して成る蓄熱ユニット６が前記根太部材３・３間に配置されている。そして、前記蓄熱ユニット６を覆って前記根太部材３の下面と略面一となるように第１の断熱材としてのウレタン７が設けられており、前記ウレタン及び前記根太部材３の下面を覆うように第２の断熱材としてのスチレンフォーム８が設けられている。前記根太部材３…のうちの最も端側の根太部材３は床下地板２の縁から幾分はみ出して設けられ、前記端と反対側の端においては、蓄熱ユニット６の側面からの床下地板２の端のはみ出し量を前記根太部材３のはみ出し量に対応させている。床下地板２の前記はみ出し部分には、後述する第３の金具１２が設けられている。
【００２１】
前記スチレンフォーム８の下面（図においては上側）には前記根太部材３に対応した位置に凹部８ａが形成されており、この凹部８ａに第１の金具９が装着されている。第１の金具９は、図２に示すように、略正方形の板状体であり、その四隅部が同方向に屈曲形成されることで楔部９ａを成している。第１の金具９は、前記凹部８ａ内において楔部９ａをスチレンフォーム８に差し込んで設けられている。前記第１の金具９の中央部には貫通穴９ｂが形成されている。この貫通穴９ｂを介してビス１０が挿入され、このビス１０の先端部が前記根太部材３にねじ込まれることでスチレンフォーム８の固定が行われている。
【００２２】
ウレタン７とスチレンフォーム８との対面箇所には第２の金具１１が設けられている。この第２の金具１１は、図３に示すように、略長方形の板状体であり、その対角の二隅部が上方向に屈曲形成されることで上側楔部１１ａを成し、他の対角の二隅部が下方向に屈曲形成されることで下側楔部１１ｂを成している。この第２の金具１１は、上側楔部１１ａをウレタン７に差し込み、下側楔部１１ｂをスチレンフォーム８に差し込んでいる。
【００２３】
第３の金具１２は、前記根太部材３に代わって端位置の蓄熱ユニット６の側面側を支持するものとして前記床下地板２の縁にビス１３によって固定されている。第３の金具１２は、図４に示すように、前記ビス１３が装着される水平部分に対して立ち上がる垂直部分が剪断・屈曲されることで第１の楔部１２ａと第２の楔部１２ｂとを有する。第１の楔部１２ａは、前記垂直部分に平行に下方に向いており、第２の楔部１２ｂは前記垂直部分に直交する方向（水平方向）に向いている。そして、第１の楔部１２ａはウレタン７の下面に差し込まれ、第２の楔部１２ｂはスチレンフォーム８の側面に差し込まれている。
【００２４】
また、蓄熱ユニット６の側面側には第４の金具１４が設けられている。この第４の金具１４は、図５に示すように、広幅片部１４ａと細幅片部１４ｂを有する断面略コ字形状を成し且つ前記広幅片部１４ａの先端側に垂直下方向に突出する楔部１４ｃを有している。そして、この第４の金具１４は前記楔部１４ｃをウレタン７に差し込み、広幅片部１４ａをウレタン７と蓄熱ユニット６との間に位置させ、細幅片部１４ｂを蓄熱ユニット６と床下地板２との間に位置させている。そして、この第４の金具１４の装着においては、その垂直部がウレタン７の縁面と略面一となるようにしている。
【００２５】
次に、上記床暖房パネル構造体１の組み立て工程及び据付について図６乃至図１０に基づいて説明していく。
【００２６】
まず、図６（ａ）に示すように、ウレタン７の両縁に第４の金具１４…を装着する。すなわち、第４の金具１４…の楔部１４ｃをウレタン７の両縁部に差し込む。この後に蓄熱ユニット６をウレタン７上に配置する。蓄熱ユニット６は前記第４の金具１４…によって側面側を支持されてウレタン７上に保持されたものとなる。ウレタン７にはコード挿通用の穴が形成されており、この穴に蓄熱ユニット６から引き出されたコード（ＶＶＦ：フラット型ビニル絶縁ビニルシースケーブル）を挿通しておく。また、床下地板２上には根太部材３…を固定しておく。そして、同図（ｂ）に示すように、ウレタン７が装着された蓄熱ユニット６を根太部材３・３間に配置していく。
【００２７】
そして、図７（ａ）に示すように、全ての蓄熱ユニット６を配置したら、次には、同図（ｂ）に示すように、第３の金具１２を床下地板２の縁にビス１３によって固定していく。このとき、第３の金具１２の第１の楔部１２ａをウレタン７の下面に差し込んでおく。また、前記コードをコネクタ１５に接続しておく。
【００２８】
次に、図８（ａ）（ｂ）に示すように、スチレンフォーム８の一方の面（ウレタン７に向かい合う面）に第２の金具１１を装着しておき、かかるスチレンフォーム８の側面を第３の金具１２の第２の楔部１２ｂに押し当て、第２の楔部１２ｂがスチレンフォーム８の側面に差し込まれた状態でスチレンフォーム８をウレタン７及び根太部材３…の下面に対面させて置く。
【００２９】
そして、図９に示すように、スチレンフォーム８の凹部８ａに第１の金具９を装着し、第１の金具９の貫通穴９ｂを介してビス１０を挿入し、このビス１０の先端部を前記根太部材３にねじ込む。また、スチレンフォーム８やウレタン７の側面にはＥＰＴ（エチレンプロピレンテルポリマー）テープ１６を貼り付ける。以上説明した工程により、床暖房パネル構造体１が得られる。
【００３０】
図１０は床暖房パネル構造体１…の据付の様子を示した斜視図である。図においては、床暖房パネル構造体１…は床骨組となる鋼製の大引き２０・２０間に配置される。床暖房パネル構造体１におけるスチレンフォーム８については、大引き２０・２０の内縁間隔に対応しており、床暖房パネル構造体１における他の構造部分については、大引き２０・２０の中心線間隔に対応している。床暖房パネル構造体１は、その根太部材３…が大引き２０に対して直交するようにして配置される。また、この配置に際してコネクタ１５・１５同士を接続する。床暖房パネル構造体１…の配置後に図示しない床仕上げ板等を設ける。
【００３１】
以上説明したように、スチレンフォーム８には前記根太部材３の配置に対応した位置に凹部８ａが形成されており、第１の金具９は、前記凹部８ａ内において楔部９ａをスチレンフォーム８に差し込んで設けられている。前記第１の金具９の貫通穴９ｂを介してビス１０が挿入され、このビス１０の先端部が前記根太部材３にねじ込まれていることでスチレンフォーム８の固定が行われている。このため、スチレンフォーム８にビス１０による局所的な大きな力が加わらずにスチレンフォーム８の固定が行われることになる。また、接着剤による固定ではないため、例えば修理時などでの解体や再組み立てが容易である。第１の金具９は単なる平板部材ではなく、楔部９ａを有してこれがスチレンフォーム８に差し込んでいることにより、スチレンフォーム８の位置ずれなどが回避される。前記凹部８ａが存在することにより、ビス１０の頭部がスチレンフォーム８の面から出てしまうこともなく、見栄えもよい。また、前記凹部８ａが第１の金具９の装着位置の目印にもなり、作業性が向上する。なお、第１の金具９はその四隅を屈曲させて楔部９ａとしたが、これに限るものではなく、例えば、辺部の中央部を剪断・屈曲して楔部とすることができる。また、一枚の板を加工して得ることに限らず、板部材に楔部を接着や溶接等によって得たものでもよい。
【００３２】
また、第２の金具１１がその表裏両面側の楔部１１ａ・１１ｂをウレタン７とスチレンフォーム８に差し込んで設けられているため、ウレタン７とスチレンフォーム８との相対的な位置ずれが防止される。接着剤による位置ずれ防止ではないため、例えば修理時などでの解体や再組み立てが容易である。なお、第２の金具１１はその四隅を屈曲させて楔部１１ａ・１１ｂとしたが、これに限るものではなく、例えば、辺部の中央部を剪断・屈曲して楔部とすることができる。また、一枚の板を加工して得ることに限らず、板部材に楔部を接着や溶接等によって得たものでもよい。
【００３３】
また、第３の金具１２が前記根太部材３に代わって蓄熱ユニット６の側面側を支持するものとして前記床下地板２の縁部に固定されており、第１の楔部１２ａはウレタン７の下面に差し込んであり、第２の楔部１２ｂはスチレンフォーム８の側面に差し込んであるから、隣に位置することになる他の床暖房パネル構造体１における根太部材３の係合領域が前記第３の金具１２が固定されている箇所において形成されると共に、前記第３の金具１２と自身側の根太部材３との間での蓄熱ユニット６の側面支持が行え、更には、前記第１の楔部１２ａによるウレタン７の保持及び前記第２の楔部１２ｂによるスチレンフォーム８の保持が行われることになる。接着剤による断熱材保持ではないため、例えば修理時などでの解体や再組み立てが容易である。なお、第３の金具１２はその第１の楔部１２ａをウレタン７の下面に差し込み、第２の楔部１２ｂをスチレンフォーム８の側面に差し込むものとしたが、これに限るものではない。また、一枚の板を加工して得ることに限らず、板部材に楔部を接着或いは溶接等してもよい。
【００３４】
また、第４の金具１４が、断面コ字形状における一方の片部１４ａをウレタン７と蓄熱ユニット６との間に位置させ、他方の片部１４ｂを蓄熱ユニット６と床下地板２との間に位置させて蓄熱ユニット側面近傍位置に設けられており、楔部１４ｃをウレタン７に差し込んでいるので、前記第４の金具１４によってウレタン７上で蓄熱ユニット６はその側面側が支持されることになり、蓄熱ユニット６とウレタン７とのユニット化によって組み立て性が向上する。また、蓄熱ユニット６の配置空間の高さを前記第４の金具１４が規定することにもなり、蓄熱ユニット６への不所望な力の加わりや床下地板２と蓄熱ユニット６との隙間発生を極力回避できることになる。また、第４の金具１４における垂直部はウレタン７の縁面と略面一になっており、ウレタン７を箱型に成形する場合に比べて蓄熱ユニット６の収容スペースを大きくすることができ、大きな蓄熱ユニットを用いることができる。
【００３５】
なお、上記実施形態においては、面状ヒーター４とこれを両側から挟み込むように設けられた潜熱蓄熱材５・５とを有して成る蓄熱ユニット６を暖房ユニットとして例示したが、蓄熱材を有しない暖房ユニットを用いてもよい。また、第３の金具１２として第２の楔部１２ｂを有するものを示したが、第２の楔部１２ｂを有しない構成としてもよい。また、熱供与体を面状ヒーターとした構成を示したが、熱供与体を温水配管とする構成にもかかる発明を適用することができる。また、各金具においては楔部に返しを設けた構造としてもよい。また、断熱材についても、ウレタンやスチレンに限らず、他の素材を用いることができる。また、接着剤は望ましくないが、比較的剥離が容易である両面テープを例えばウレタン７と蓄熱ユニット６との間に設けてもよいものである。
【００３６】
【発明の効果】
以上説明したように、この発明によれば、床板材の裏面に根太部材を所定間隔で設けた床パネルに床暖房構造を組み入れたものとし、かかる構造を得る上での作業の容易化や効率化、更には修理時や廃棄時の解体・分別の容易化が図れる等の諸効果を奏する。
【図面の簡単な説明】
【図１】この発明の実施形態の床暖房パネル構造体の断面図であって、同図（ａ）は全体を示し、同図（ｂ）は一部を拡大して示している。
【図２】第１の金具の斜視図である。
【図３】第２の金具の斜視図である。
【図４】第３の金具の斜視図である。
【図５】第４の金具の斜視図である。
【図６】同図（ａ）及び（ｂ）は床暖房パネル構造体の組み立て工程を示した斜視図である。
【図７】同図（ａ）及び（ｂ）は床暖房パネル構造体の組み立て工程を示した斜視図である。
【図８】同図（ａ）は床暖房パネル構造体の組み立て工程を示した断面図であり、同図（ｂ）は床暖房パネル構造体の組み立て工程を示した斜視図である。
【図９】床暖房パネル構造体の組み立て工程を示した斜視図である。
【図１０】床暖房パネル構造体の据付工程を示した斜視図である。
【符号の説明】
１　　床暖房パネル構造体
２　　床下地板
３　　根太部材
４　　面状ヒーター
５　　潜熱蓄熱材
６　　蓄熱ユニット
７　　ウレタン
８　　スチレンフォーム
９　　第１の金具
１１　第２の金具
１２　第３の金具
１４　第４の金具
【図１】
2004027785.tif 000003
【図２】
2004027785.tif 000004
【図３】
2004027785.tif 000005
【図４】
2004027785.tif 000006
【図５】
2004027785.tif 000007
【図６】
2004027785.tif 000008
【図７】
2004027785.tif 000009
【図８】
2004027785.tif 000010
【図９】
2004027785.tif 000011
【図１０】
2004027785.tif 000012